(57)【要約】【課題】オンデマンド印刷の技術を利用して，ユーザが設定した仕様の手帳を製造するために必要な装置を提供できる。【解決手段】手帳編集装置１には，ユーザが手帳の仕様をオンラインで編集できるように，ウェブページを利用して，オリジナル手帳に備えさせることができる手帳要素の属性値をユーザに設定させ，ユーザが設定した属性値を含むユーザデータを記憶する手帳編集手段１０を備え，更に，ユーザが設定した仕様の手帳を印刷機で印刷できるように，オリジナル手帳の印刷データを生成するトリガーが発生すると，未処理のユーザデータ毎に，ユーザデータに記述されている属性値に従うページデータを手帳要素毎に生成し，生成したページデータを自動組版することで印刷データを生成する印刷データ生成手段１１を備えている。【選択図】図２
2012113449.tif 000002
【特許請求の範囲】
【請求項１】
オリジナル手帳のオンデマンド印刷に利用する手帳編集装置であって，
ウェブページを利用して，オリジナル手帳に備えさせることができる手帳要素の属性値をユーザに設定させ，ユーザが設定した属性値を含むユーザデータを記憶する手帳編集手段と，
オリジナル手帳の印刷データを生成するトリガーが発生すると，未処理のユーザデータ毎に，ユーザデータに記述されている属性値に従うページデータを手帳要素毎に生成し，生成したページデータを組版することで印刷データを生成する印刷データ生成手段と，
を備えたことを特徴とする手帳編集装置。
【請求項２】
手帳編集装置は，手帳要素の一つである予定表のタイプ・デザイン毎に，ユーザ毎に内容が異なる可変要素と可変要素の内容を決定付ける属性が少なくとも設定された予定表レイアウトファイルを記憶し，
手帳編集手段は，ウェブページを利用して，ユーザに予定表レイアウトファイルを一つ選択させ，ユーザが選択した予定表レイアウトファイルに設定された属性の属性値をユーザに設定させた後，該予定レイアウトファイルの識別子とユーザが設定した属性値をユーザデータに含ませ，
印刷データ生成手段は，ユーザデータに記述された該識別子で特定される予定表レイアウトに定義された可変要素に差し込むオブジェクトを，該ユーザデータに記述された予定表の属性値に従い生成し，生成したオブジェクトを予定表レイアウトに設定された可変要素にオブジェクトを差し込むことで，予定表のページ毎にページデータを生成することを特徴とする，
請求項１に記載の手帳編集装置。
【請求項３】
手帳編集手段は，ウェブページを利用して，手帳要素の一つである付録をユーザに選択させ，ユーザが選択した付録の識別子を付録の属性値としてユーザデータに含ませ，印刷データ生成手段は，ユーザデータに記述されている付録の識別子に対応した付録のイメージファイルを利用して，付録のページデータを生成することを特徴とする，請求項２に記載の手帳編集装置。
【請求項４】
手帳編集手段は，ウェブページを利用して，手帳要素の一つであるフリーページのイメージをユーザに設定させ，ユーザが設定したフリーページのイメージをフリーページの属性値としてユーザデータに含ませ，印刷データ生成手段は，ユーザデータに記述されているフリーページのイメージファイルを利用して，フリーページのページデータを生成することを特徴とする，請求項２又は請求項３に記載の手帳編集装置。
【請求項５】
印刷データ生成手段は，一つのユーザデータから生成したページデータを丁付けした面付けを，所定のユーザデータの数に応じて多面付けした印刷データを生成することを特徴とする，請求項２から請求項４のいずれか一つに記載の手帳編集装置。
【請求項６】
予定表レイアウトには，予定表に印刷される年月に係る可変要素，予定表の日付枠に印刷される日付に係る可変要素及び予定表に印刷する年月日に係る内容を決定付ける属性として期間属性が定義され，印刷データ生成手段は，予定表に印刷される年月に係る可変要素及び予定表の日付枠に印刷される日付に係る可変要素にそれぞれ差し込むオブジェクトを期間属性の属性値に従い生成することを特徴とする，請求項２から請求項５のいずれか一つに記載の手帳編集装置。
【請求項７】
予定表に印刷する日付の休日をユーザが設定できるように，予定表レイアウトには，予定表の休日として取り扱う曜日を決定付ける属性として休日属性が定義され，印刷データ生成手段は，予定表の日付枠に印刷される日付に係る可変要素に差し込むオブジェクトを，休日属性の属性値に対応する曜日が休日になるように生成することを特徴とする，請求項６に記載の手帳編集装置。
【請求項８】
予定表レイアウトには，予定表の日付枠に印刷する第１の手帳機能に係る可変要素と第１の手帳機能の内容を決定付ける属性として第１の手帳機能属性が定義され，印刷データ生成手段は，予定表の日付枠に印刷する第１の手帳機能に係る可変要素に差し込むオブジェクトを第１の手帳機能属性の属性値に従い生成することを特徴とする，請求項２から請求項７のいずれか一つに記載の手帳編集装置。
【請求項９】
予定表レイアウトには，予定表の空白欄に印刷する第２の手帳機能に係る可変要素と第２の手帳機能の内容を決定付ける属性として第２の手帳機能属性が定義され，印刷データ生成手段は，予定表の空白欄に印刷する第２の手帳機能に係る可変要素に差し込むオブジェクトを第２の手帳機能属性の属性値に従い生成することを特徴とする，請求項２から請求項８のいずれか一つに記載の手帳編集装置。
【請求項１０】
予定表レイアウトには，予定表に印刷する記念日に係る可変要素と予定表に印刷する記念日に係る内容を決定付ける属性として記念日属性が定義され，印刷データ生成手段は，予定表に印刷する記念日に係る可変要素に差し込むオブジェクトを記念日属性の属性値に従い生成することを特徴とする，請求項２から請求項９のいずれか一つに記載の手帳編集装置。
【請求項１１】
，時間帯が印刷される予定表レイアウトには，予定表に印刷する時間帯に係る可変要素と予定表に印刷する時間帯に係る内容を決定付ける属性として時間帯属性が定義され，印刷データ生成手段は，予定表に印刷する時間帯に係る可変要素に差し込むオブジェクトを時間帯属性の属性値に従い生成することを特徴とする，請求項２から請求項１０のいずれか一つに記載の手帳編集装置。
【発明の詳細な説明】
【技術分野】
【０００１】
本発明は，オンデマンド印刷（On Demand Printing）の技術を利用して，ユーザが設定した仕様の手帳を製造するための技術に関する。
【背景技術】
【０００２】
スマートフォンやパーソナルコンピュータなどのアプリケーションで実現される電子手帳の普及により，紙媒体の手帳（以下，「手帳」と記す。）の売り上げは一時期低迷していたが，「書くことの良さ」が見直され，近年，手帳の売り上げは増加傾向にある。
【０００３】
手帳の売り上げは増加傾向にあるものの，手帳に係るあるアンケートの結果では，気に入ったデザイン・フォーマットの手帳が市販されていない，使用中の手帳を新しいものに替えたいが，市販の手帳の開始月（１月・４月）は決まっている，記念日を転記するのが面倒，などの理由により，手帳のユーザの８０％以上は，自分が現在購入した市販の手帳に満足してはいない結果が得られている。
【０００４】
このように，手帳のユーザには自分のオリジナルの手帳を購入したい要望が強く，ユーザが設定した仕様の手帳を製造できることが望まれている。
【０００５】
オンデマンド印刷（On Demand Printing）の技術を利用して，ユーザが設定した内容の印刷物を印刷するための発明として，例えば，特許文献１において，ユーザが、印刷物の各紙面に印刷される内容を、一つ又は複数の紙面単位でその候補から選択することにより，又は，印刷物の紙面毎のレイアウトと、レイアウトに配置する素材と位置を、それぞれの候補から選択することにより，印刷物のカスタマイズを行って注文できる環境を提供する機能と、印刷物の注文を受けると、印刷業者に対する注文データを作成する機能を有するシステムが開示されている。
【先行技術文献】
【特許文献】
【０００６】
【特許文献１】特開2００7 - 4 3 4 8号公報
【発明の概要】
【発明が解決しようとする課題】
【０００７】
しかしながら，特許文献１で開示されている発明は，写真集、ノート、カレンダー、ポストカード、コースター、ポスター、カットアウト及びタペストリーに係る印刷物を対象としたシステムで，ユーザが設定した仕様の手帳を製造するための発明ではない。
【０００８】
そこで，本発明は，オンデマンド印刷（On Demand Printing）の技術を利用して，ユーザが設定した仕様の手帳を製造するために必要な装置を提供することを目的とする。
【課題を解決するための手段】
【０００９】
上述した課題を解決する第１の発明は，オリジナル手帳のオンデマンド印刷に利用する手帳編集装置であって，ユーザが手帳の仕様をオンラインで編集できるように，ウェブページを利用して，オリジナル手帳に備えさせることができる手帳要素の属性値をユーザに設定させ，ユーザが設定した属性値を含むユーザデータを記憶する手帳編集手段を備え，更に，ユーザが設定した仕様の手帳を印刷機で印刷できるように，オリジナル手帳の印刷データを生成するトリガーが発生すると，未処理のユーザデータ毎に，ユーザデータに記述されている属性値に従うページデータを手帳要素毎に生成し，生成したページデータを自動組版することで印刷データを生成する印刷データ生成手段を備えていることを特徴とする。
【００１０】
更に，第２の発明は，第１の発明に記載の手帳編集装置であって，手帳要素の一つである予定表の仕様をユーザが設定できるように，手帳要素の一つである予定表のタイプ・デザイン毎に，ユーザ毎に内容が異なる可変要素と可変要素の内容を決定付ける属性が少なくとも設定された予定表レイアウトファイルを記憶し，手帳編集手段は，ウェブページを利用して，ユーザに予定表レイアウトファイルを一つ選択させ，ユーザが選択した予定表レイアウトファイルに設定された属性の属性値をユーザに設定させた後，該予定レイアウトファイルの識別子とユーザが設定した属性値をユーザデータに含ませ，印刷データ生成手段は，ユーザデータに記述された該識別子で特定される予定表レイアウトに定義された可変要素に差し込むオブジェクトを，該ユーザデータに記述された予定表の属性値に従い生成し，生成したオブジェクトを予定表レイアウトに設定された可変要素にオブジェクトを差し込むことで，予定表のページ毎にページデータを生成することを特徴とする。
【００１１】
更に，第３の発明は，第２の発明に記載の手帳編集装置であって，手帳要素の一つである付録をユーザが設定できるように，手帳編集手段は，ウェブページを利用して，手帳要素の一つである付録をユーザに選択させ，ユーザが選択した付録の識別子を付録の属性値としてユーザデータに含ませ，印刷データ生成手段は，ユーザデータに記述されている付録の識別子に対応した付録のイメージファイルを利用して，付録のページデータを生成することを特徴とする。
【００１２】
更に，第４の発明は，第２の発明又は第３の発明に記載の手帳編集装置であって，手帳要素の一つである付録をユーザが設定できるように，手帳編集手段は，ウェブページを利用して，手帳要素の一つであるフリーページのイメージをユーザに設定させ，ユーザが設定したフリーページのイメージをフリーページの属性値としてユーザデータに含ませ，印刷データ生成手段は，ユーザデータに記述されているフリーページのイメージファイルを利用して，フリーページのページデータを生成することを特徴とする。
【００１３】
更に，第５の発明は，第２の発明から第４の発明のいずれか一つに記載の手帳編集装置であって，ユーザが設定した仕様の手帳の製本加工がし易くなるように，印刷データ生成手段は，一つのユーザデータから生成したページデータを丁付けした面付けを，所定のユーザデータの数に応じて多面付けした印刷データを生成することを特徴とする。
【００１４】
更に，第６の発明は，第２の発明から第５の発明のいずれか一つに記載の手帳編集装置であって，手帳の期間をユーザが設定できるように，予定表レイアウトには，予定表に印刷される年月に係る可変要素，予定表の日付枠に印刷される日付に係る可変要素及び予定表に印刷する年月日に係る内容を決定付ける属性として期間属性が定義され，印刷データ生成手段は，予定表に印刷される年月に係る可変要素及び予定表の日付枠に印刷される日付に係る可変要素にそれぞれ差し込むオブジェクトを期間属性の属性値に従い生成することを特徴とする。
【００１５】
更に，第７の発明は，第６の発明に記載の手帳編集装置であって，予定表に印刷する日付の休日をユーザが設定できるように，予定表レイアウトには，予定表の休日として取り扱う曜日を決定付ける属性として休日属性が定義され，印刷データ生成手段は，予定表の日付枠に印刷される日付に係る可変要素に差し込むオブジェクトを，休日属性の属性値に対応する曜日が休日になるように生成することを特徴とする。
【００１６】
更に，第８の発明は，第２の発明から第７の発明のいずれか一つに記載の手帳編集装置であって，予定表の日付枠に印刷する手帳機能をユーザが設定できるように，予定表レイアウトには，予定表の日付枠に印刷する第１の手帳機能に係る可変要素と第１の手帳機能の内容を決定付ける属性として第１の手帳機能属性が定義され，印刷データ生成手段は，予定表の日付枠に印刷する第１の手帳機能に係る可変要素に差し込むオブジェクトを第１の手帳機能属性の属性値に従い生成することを特徴とする。
【００１７】
更に，第９の発明は，第２の発明から第８の発明のいずれか一つに記載の手帳編集装置であって，予定表の空白欄に印刷する手帳機能をユーザが設定できるように，予定表レイアウトには，予定表の空白欄に印刷する第２の手帳機能に係る可変要素と第２の手帳機能の内容を決定付ける属性として第２の手帳機能属性が定義され，印刷データ生成手段は，予定表の空白欄に印刷する第２の手帳機能に係る可変要素に差し込むオブジェクトを第２の手帳機能属性の属性値に従い生成することを特徴とする。
【００１８】
更に，第１０の発明は，第２の発明から第９の発明のいずれか一つに記載の手帳編集装置であって，予定表に印刷する記念日をユーザが設定できるように，予定表レイアウトには，予定表に印刷する記念日に係る可変要素と予定表に印刷する記念日に係る内容を決定付ける属性として記念日属性が定義され，印刷データ生成手段は，予定表に印刷する記念日に係る可変要素に差し込むオブジェクトを記念日属性の属性値に従い生成することを特徴とする。
【００１９】
更に，第１１の発明は，第２の発明から第１０の発明のいずれか一つに記載の手帳編集装置であって，予定表に印刷する時間帯の内容をユーザが設定できるように，時間帯が印刷される予定表レイアウトには，予定表に印刷する時間帯に係る可変要素と予定表に印刷する時間帯に係る内容を決定付ける属性として時間帯属性が定義され，印刷データ生成手段は，予定表に印刷する時間帯に係る可変要素に差し込むオブジェクトを時間帯属性の属性値に従い生成することを特徴とする。
【発明の効果】
【００２０】
このように，上述した本発明によれば，オンデマンド印刷（On Demand Printing）の技術を利用して，ユーザが設定した仕様の手帳を製造するために必要な装置を提供できる。
【図面の簡単な説明】
【００２１】
【図１】本実施形態に係る手帳編集装置が配置されたシステムを説明する図。
【図２】手帳編集装置に備えられた機能を説明するブロック図。
【図３】手帳編集装置の手帳編集手段が実行する手順を説明するフロー図。
【図４】手帳編集装置のホーム画面の一例を説明する図。
【図５】オリジナル手帳のサイズをユーザに選択させるウィンドウを説明する図。
【図６】予定表のタイプをユーザに選択させるウィンドウを説明する図。
【図７】予定表のデザインをユーザに選択させるウィンドウを説明する図。
【図８】予定表レイアウトファイルの構造を説明する図。
【図９】見開き１ヶ月セパレート型の予定表を説明する図。
【図１０】見開き１週間セパレート型の予定表を説明する図。
【図１１】見開き１週間パーティカル型（休日縮小表示）の予定表を説明する図。
【図１２】予定表７ｇに設定された可変要素のレイアウト図。
【図１３】期間属性をユーザに設定させるウィンドウを説明する図。
【図１４】休日属性をユーザに設定させるウィンドウを説明する図。
【図１５】時間帯属性をユーザに設定させるウィンドウを説明する図。
【図１６】第１の手帳機能属性をユーザに設定させるウィンドウを説明する図。
【図１７】第２の手帳機能属性をユーザに設定させるウィンドウを説明する図。
【図１８】記念日属性をユーザに設定させるウィンドウを説明する図。
【図１９】付録属性をユーザに設定させるウィンドウを説明する図。
【図２０】スポンサー付録属性をユーザに設定させるウィンドウを説明する図。
【図２１】フリーページ属性をユーザに設定させるウィンドウを説明する図。
【図２２】設定内容を確認させるウェブページを説明する図。
【図２３】手帳編集装置の印刷データ生成手段が実行する手順を説明するフロー図。
【図２４】多面付けの印刷データを説明する図。
【発明を実施するための形態】
【００２２】
本発明の実施形態について，本発明の技術分野に係わる当業者が，本発明の内容を理解し，本発明を実施できる程度に説明する。なお、これから説明する実施形態は一例にしか過ぎず、これから説明する実施形態に限定されることなく、種々の変形や変更が可能である。
【００２３】
図１は，本実施形態に係る手帳編集装置１が配置されたシステムを説明する図である。図１に図示したシステムは，ユーザ毎に仕様の異なるオリジナル手帳２をオンデマンド印刷により製造するためのシステムで，図１には，オリジナル手帳２の仕様をユーザが設定するときにアクセスする手帳編集装置１に加え，手帳編集装置１にネットワーク４を介してアクセスする際にユーザが利用する端末装置３と，手帳編集装置１が出力した印刷データを印刷するデジタル印刷機５が図示されている。なお，オリジナル手帳２を加工するための装置（例えば，製本機など）は，図１では図示していない。
【００２４】
まず，図１に図示したシステムで実施される一連の手順について説明する。手帳編集装置１は，端末装置３にウェブページを送信することで，オリジナル手帳２に備えさせる手帳要素の属性値を，端末装置３を操作するユーザに設定させることで，オリジナル手帳２の仕様をユーザに設定させ，ユーザが設定した属性値を含むユーザデータとして記憶する。
【００２５】
本実施形態において，オリジナル手帳２の手帳要素とは，ユーザが予定を記入する予定表，「罫線メモ」，「路線地図」など，役に立つ情報が記載された付録，警備会社が提供する避難マップや，飲食店が提供する紙媒体のクーポンなど，ユーザにとって利便性・メリットがあり，企業の宣伝を兼ねたスポンサー付録，オリジナル手帳２のユーザがページの内容を任意に設定できるフリーページを意味している。
【００２６】
手帳編集装置１は，オリジナル手帳２の印刷データを生成するトリガーが発生すると，未処理のユーザデータ毎に，ユーザデータに記述されている属性値に従うページデータを手帳要素毎に生成し，生成したページデータを組版することで印刷データを生成する。
【００２７】
手帳編集装置１が生成した印刷データはデジタル印刷機５へ送信され，デジタル印刷機５にて，オリジナル手帳２に製本加工に必要な刷り本６が印刷され，この刷り本６が製本加工されて，ユーザが設定した仕様のオリジナル手帳２が製造される。
【００２８】
図１で図示した端末装置３は，ネットワーク通信機能を備え，ブラウザが実装されたコンピュータ装置で実現することができ，このようなコンピュータ装置として，パーソナルコンピュータやスマートフォンなどを利用できる。
【００２９】
図２は，図１で図示した手帳編集装置１に備えられた機能を説明するブロック図である。手帳編集装置１は，汎用のサーバを利用して実現される装置で，手帳編集装置１には，オリジナル手帳２の仕様の入稿に特化したＤＴＰ（Desk Top Publishing）の編集機能をオンラインで提供するために，ウェブページを利用して，オリジナル手帳２に備えさせる手帳要素の属性値をユーザに設定させ，ユーザが設定した属性値を含むユーザデータを記憶する手帳編集手段１０を備え，更に，オリジナル手帳２の刷り本６を印刷する印刷データを生成できるように，オリジナル手帳２の印刷データを生成するトリガーが発生すると，未処理のユーザデータ毎に，ユーザデータに記述されている属性値に従うページデータを手帳要素毎に生成し，生成したページデータを組版することで印刷データを生成する印刷データ生成手段１１を備え，手帳編集手段１０及び印刷データ生成手段１１は，上述した機能をサーバに動作せるためのコンピュータプログラムで実現される手段である。
【００３０】
図３は，手帳編集装置１の手帳編集手段１０が実行する手順を説明するフロー図である。ユーザがオリジナル手帳２を発注するとき，端末装置３を操作して手帳編集装置１にアクセスし，手帳編集装置１は，手帳編集装置１にアクセスした端末装置３に対して，手帳編集装置１のホーム画面を表示するウェブページを送信する（Ｓ１）。
【００３１】
図４は，手帳編集装置１のホーム画面の一例を説明する図である。図４で図示した手帳編集装置１のホーム画面７ａには，オリジナル手帳２を発注する際のフロー７ａ１や，オリジナル手帳２のサンプル写真７ａ２などに加え，手帳編集装置１にログインするためのログインフォーム７ａ３と，オリジナル手帳２を発注するときにクリックするハイパーテキスト７ａ４などが表示される。
【００３２】
手帳編集装置１を利用してオリジナル手帳２を発注するユーザは，手帳編集装置１へのユーザ登録を必要とし，手帳編集装置１にユーザ登録するときに，ユーザの氏名，住所，電話番号，電子メールアドレスなどオリジナル手帳２の送付先に係る情報に加え，ユーザＩＤやパスコードが手帳編集装置１に登録され，ユーザが手帳編集装置１にログインするとき，手帳編集装置１のホーム画面７ａのログインフォーム７ａ３にユーザＩＤ・パスコードが入力される。
【００３３】
また，オリジナル手帳２を発注するときにクリックするハイパーテキスト７ａ４には，手帳編集装置１の手帳編集手段１０を動作させるＵＲＬが貼られ，手帳編集装置１にログインした後に，ハイパーテキスト７ａ４がクリックされると，手帳編集装置１の手帳編集手段１０が動作する。
【００３４】
手帳編集装置１は，端末装置３から送信されたユーザＩＤ・パスコードを照合することで，手帳編集装置１にアクセスしたユーザのログイン処理を実行し，ログインに成功すると，ログインしたユーザのセッションを開始する（Ｓ２）。
【００３５】
手帳編集装置１にアクセスしたユーザのログイン処理を実行し，ログインに成功した後，オリジナル手帳２を発注するときにクリックするハイパーテキスト７ａ４がクリックされると，手帳編集装置１の手帳編集手段１０が動作し，手帳編集手段１０は，オリジナル手帳２のサイズをユーザに設定させるウィンドウを表示するウェブページを利用して，オリジナル手帳２のサイズをユーザに設定させる（Ｓ３）。
【００３６】
図５は，オリジナル手帳２のサイズをユーザに選択させるウィンドウを説明する図である。図５で図示したウィンドウ７ｂには，オリジナル手帳２のサイズを説明する画像７ｂ１に加え，オリジナル手帳２のサイズを選択させるためのチェックボックス７ｂ２が表示され，オリジナル手帳２を発注するユーザはいずれかのチェックボックス７ｂ２をＯＮにすることで，ユーザが発注するオリジナル手帳２のサイズを設定する。ユーザがオリジナル手帳２のサイズを設定すると，オリジナル手帳２のサイズの設定結果が端末装置３から手帳編集装置１へ送信される。なお，図５では，図を見やすくするために符号は一つのみとしている。
【００３７】
図３の説明に戻る。本実施形態において，手帳編集装置１は，ユーザが予定表のタイプ・デザインを選択できるように，手帳要素となる予定表のタイプ・デザイン毎に，可変要素と可変要素の内容を決定付ける属性が定義された予定表レイアウトファイルを記憶しているため，オリジナル手帳２のサイズをユーザに設定させると，予定表のタイプをユーザに設定させた後（Ｓ４），更に，ユーザが設定した予定表のタイプに対応するデザインをユーザに設定させる（Ｓ５）。
【００３８】
図６は，オリジナル手帳２の予定表のタイプをユーザに選択させるウィンドウを説明する図である。オリジナル手帳２のサイズをユーザが選択すると，図６で図示したウィンドウ７ｃが端末表示に表示される。このウィンドウ７ｃには，見開き1ヶ月セパレート型や，見開き2日パーティカル型などの予定表のタイプを説明する画像７ｃ１に加え，予定表のタイプを選択させる複数のチェックボックス７ｃ２，予定表のタイプの使い方を表示させるためのアイコン７ｃ３が表示され，オリジナル手帳２を発注するユーザはいずれかのチェックボックス７ｃ２をＯＮにすることで，ユーザが発注するオリジナル手帳２の予定表のタイプを設定する。なお，図６では，図を見やすくするために符号は一つのみとしている。
【００３９】
図７は，オリジナル手帳２の予定表のデザインをユーザに選択させるウィンドウを説明する図である。予定表のタイプをユーザが選択すると，図７で図示したウィンドウ７ｄが端末表示に表示される。このウィンドウ７ｄには，図６のウィンドウ７ｃにてユーザが設定した予定表のタイプに応じた予定表のデザインを説明する画像７ｄ１が表示され，オリジナル手帳２を発注するユーザは，いずれかの画像７ｄ１をポインティングデバイスで選択することで，ユーザが発注するオリジナル手帳２の予定表のデザインを設定する。なお，図７では，図を見やすくするために符号は一つのみとしている。
【００４０】
図３の説明に戻る。図６で図示したウィンドウ７ｃなどを利用して，ユーザが予定表のタイプを設定すると，予定表のタイプの設定結果が端末装置３から手帳編集装置１へ送信され，図７で図示したウィンドウ７ｄなどを利用して，ユーザが予定表のデザインを設定すると，予定表のデザインの設定結果が端末装置３から手帳編集装置１へ送信され，手帳編集装置１の手帳編集手段１０は，これらの設定結果に基づいて，手帳編集装置１に記憶されている予定表レイアウトファイルの中から，これ以降で利用する予定表レイアウトファイルを検索する（Ｓ６）。
【００４１】
図８は，予定表レイアウトファイルの構造を説明する図である。図８で図示した予定表レイアウトファイル８は，マークアップ言語などで記述されたデータファイルである。図８に図示したように，予定表レイアウトファイル８には，予定表レイアウトファイルの識別子，予定表レイアウトファイルに対応する予定表のタイプ・デザインの識別子などが含まれ，予定表レイアウトファイルの検索に利用されるヘッダ要素８０，予定表の表紙のイメージファイル８１，予定表の裏表紙のイメージファイル８３，ユーザが予定を記入する予定表のイメージファイル８２に加え，ユーザ毎に予定表の内容を変更できるように様々な可変要素８４が設定され，予定表レイアウトファイル８に設定されている可変要素８４の内容を決定付ける属性８５が記述されている。
【００４２】
予定表レイアウトファイル８に設定されている可変要素８４には，ユーザによって設定された属性値に基づき生成されたオブジェクトが差し込まれる。可変要素８４に差し込まれるオブジェクトの形式はテキスト・イメージのいずれでもよく，属性８５の属性値に基づき生成されたオブジェクトを差し込めるように，可変要素８４には，予定表のイメージファイル８２上における座標・サイズが定義されている。
【００４３】
本実施形態では，予定表レイアウトファイル８の可変要素８４の内容を決定付ける属性８５として，予定表の期間を設定する期間属性８５ａ，休日として取り扱う曜日を設定する休日属性８５ｂ，予定表に印刷する時間帯を設定する時間帯属性８５ｃ，予定表の日付枠に印刷する第１の手帳機能を設定する第１の手帳機能属性８５ｄ，予定表の空白欄に印刷する第２の手帳機能を設定する第２の手帳機能属性８５ｅ，予定表に印刷する記念日を設定する記念日属性８５ｆが記述され，更に，予定表以外の手帳要素の属性８５として，付録を決定付ける付録属性８５ｇ，スポンサー付録を決定付ける８５ｈ，そして，フリーページを決定付けるフリーページ属性８５ｉが記述されている。
【００４４】
これ以降の説明については，図８で図示した予定表レイアウトファイル８を利用するものとし，ここから，数種類の予定表について説明した後，予定表レイアウトファイル８に設けられた可変要素８４について詳細に説明する。
【００４５】
図９は，見開き１ヶ月セパレート型の予定表を説明する図，図１０は，見開き１週間セパレート型の予定表を説明する図，図１１は，見開き１週間パーティカル型（休日縮小表示）の予定表を説明する図である。
【００４６】
ユーザが発注するオリジナル手帳２の予定表にはデザインに係わらず，予定表には，日付毎のイベントを記入できる日付枠を含むスケジュール欄と，メモなどに利用できる空白欄が設けられ，更に，スケジュール欄の日付枠には，日付・曜日以外の情報（例えば，六曜）やToDo Listなど日付枠に印刷する第１の手帳機能を設定できる第１の手帳機能エリアが設けられ，空白欄には，予定表の空白欄に印刷する第２の手帳機能を設定できる第２の手帳機能エリアが設けられている。
【００４７】
図９（ａ）で図示したように，見開き１ヶ月セパレート型の予定表７ｅにおいて，予定表のスケジュール欄７ｅ１の日付枠７ｅ２は，１ヶ月間のイベントを記入できるように格子状に設けられている。図９（ｂ）で図示したように，見開き１ヶ月セパレート型の予定表７ｅの日付枠７ｅ２は，罫線によって２段に分割され，下段に日付枠の第１の手帳機能エリア７ｅ３が設けられている。
【００４８】
見開き１ヶ月セパレート型の予定表７ｅ３において，メモなどに利用できる空白欄７ｅ４は，スケジュール欄７ｅ１の左側と下側に設けられ，左側の空白欄７ｅ４には３つの第２の手帳機能エリア７ｅ５が設けられ，下側の空白欄７ｅ４には２つの第２の手帳機能エリア７ｅ５が設けられている。なお，図９（ａ）では，図を見やすくするために符号は一つのみとしている。
【００４９】
また，図１０（ａ）で図示したように，見開き１週間セパレート型の予定表７ｆにおいて，予定表のスケジュール欄７ｆ１の日付枠７ｆ２は，１週間のイベントを記入できるように，罫線によって左側のページに３段，右側のページに４段設けられている。図１０（ｂ）で図示したように，見開き１週間セパレート型の予定表７ｆ１の日付枠７ｆ２の右側及び左側は罫線によって２段に分割され，日付枠７ｆ２の左側の下段及び右側の上下段に第１の手帳機能エリア７ｆ３が設けられている。なお，図１０（ａ）では，図を見やすくするために符号は一つのみとしている。
【００５０】
見開き１週間セパレート型の予定表７ｆにおいて，メモなどに利用できる空白欄７ｆ４は，左上側の上段に設けられ，この空白欄７ｆ４には１つの第２の手帳機能エリア７ｆ５が設けられている。
【００５１】
また，図１１（ａ）で図示したように，見開き１週間パーティカル型（休日縮小表示）の予定表７ｇにおいて，予定表７ｇのスケジュール欄７ｇ１の日付枠７ｇ２は，１週間のイベントを記入できるように，左側のページに４列，右側のページに２列設けられ，最も右側の列は休日の日付枠７ｇ２で，この日付枠７ｇ２は２段に分割されている。図１１（ｂ）で図示したように，休日の日付枠７ｇ２を除き，見開き１週間パーティカル型（休日縮小表示）の予定表７ｇの日付枠７ｇ２の下側は罫線によって３段に分割され，日付枠の下側の中段・下段に第１の手帳機能エリア７ｇ３が設けられている。なお，図１１（ａ）では，図を見やすくするために符号は一つのみとしている。
【００５２】
見開き１週間パーティカル型（休日縮小表示）の予定表７ｇにおいて，メモなどに利用できる空白欄７ｇ４は，見開き１週間パーティカル型（休日縮小表示）の予定表７ｇの右側に設けられ，この空白欄７ｇ４には３つの第２の手帳機能エリア７ｇ５が設けられている。
【００５３】
オリジナル手帳２の予定表のタイプはユーザによって決定されるが，ここでは，ユーザが，見開き１週間パーティカル型（休日縮小表示）の予定表７ｇを設定したものとする。
【００５４】
図１２は，見開き１週間パーティカル型（休日縮小表示）の予定表７ｇに設定された可変要素８４のレイアウト図である。図１２で図示したレイアウト図７ｈでは，見開き１週間パーティカル型（休日縮小表示）の予定表レイアウトファイル８における可変要素８４を示し，点線で記載しているボックスが可変要素８４である。なお，図１２では，図を見やすくするために符号は一つのみとしている。
【００５５】
図１２では，可変要素８４として，年・月が印刷される可変要素８４ａ，日付・曜日が印刷される可変要素８４ｂ，時間帯の時間が印刷される可変要素８４ｃ，時間帯の罫線が印刷される可変要素８４ｄ，記念日が印刷される可変要素８４ｅ，日付・曜日以外の情報（例えば，六曜）やToDo Listなどの第１の手帳機能が印刷される可変要素８４ｆ，空白欄に備えさせる第２の手帳機能が印刷される可変要素８４ｇが含まれる。
【００５６】
年・月が印刷される可変要素８４ａの内容（年・月の文字）は，予定表７ｇのページによって異なり，予定表の期間を設定する期間属性８５ａの属性値によって，予定表７ｇに印刷する年・月が決定付けられる。日付・曜日が印刷される可変要素８４ｂの内容（日付・曜日の文字）の内容は，予定表７ｇのページ毎によって異なり，予定表７ｇの期間を設定する期間属性８５ｂの属性値に加え，休日として取り扱う曜日を設定する休日属性８５ｂの属性値によって，予定表７ｇの日付枠７ｇ２に印刷する日付・曜日が決定付けられる。記念日が印刷される可変要素８４ｅの内容（文字・アイコン）は，予定表７ｇのページによって異なり，予定表７ｇの期間を設定する期間属性８５ａの属性値と，予定表７ｇに印刷する記念日を設定する記念日属性８５ｆの属性値によって，日付・曜日が印刷される記念日の内容（文字・アイコンの文字）は決定付けられる。
【００５７】
また，時間帯の時間が印刷される可変要素８４ｃ及び時間帯の罫線が印刷される可変要素８４ｄの内容は，予定表７ｇのページに依存せず同一で，予定表７ｇに印刷する時間帯を設定する時間帯属性８５ｃの属性値によって，予定表のスケジュール欄に印刷される時間帯の時間及び罫線が決定付けられる。予定表に印刷する日付・曜日以外の情報や予定表の日付枠に備えさせる機能が印刷される可変要素８４ｆの内容は，第１の手帳機能属性の属性値８５ｄによって，日付枠に印刷される第１の手帳機能が決定付けられる。空白欄７ｇ４に備えさせる機能が印刷される第２の手帳要素の内容は，第２の手帳機能属性８５ｅの属性値によって，空白枠に印刷される第２の手帳機能が決定付けられる。
【００５８】
図３の説明に戻る。手帳編集装置１の手帳編集手段１０は，予定表レイアウトファイル８を検索すると，ウェブページを利用して，検索した予定表レイアウトファイル８に設定されている属性８５の属性値をユーザに設定させ，端末装置３を操作するユーザからそれぞれの属性８５の属性値を取得するレイアウト属性設定処理Ｓ７を実行する。
【００５９】
図８を用いて説明したように，予定表レイアウトファイル８の可変要素８４の内容を決定付ける属性８５として，期間属性８５ａ，休日属性８５ｂ，時間帯属性８５ｃ，第１の手帳機能属性８５ｄ，第２の手帳機能属性８５ｅ及び記念日属性８５ｆが含まれるため，手帳編集装置１の手帳編集手段１０は，ウェブページを利用して，期間属性８５ａをユーザに設定させ（Ｓ７０），休日属性８５ｂをユーザに設定させ（Ｓ７１），時間帯属性８５ｃをユーザに設定させ（Ｓ７２），第１の手帳機能属性８５ｄをユーザに設定させ（Ｓ７３），第２の手帳機能属性８５ｅをユーザに設定させ（Ｓ７４），そして，記念日属性ｆをユーザに設定させ（Ｓ７５），ユーザが設定したそれぞれの属性８５の属性値を端末装置３から取得する。
【００６０】
図１３は，期間属性８５ａをユーザに設定させるウィンドウを説明する図である。図１３で図示したウィンドウ７ｉには，オリジナル手帳２の期間（開始月と終了月）を入力する入力フォーム７ｉ１が表示され，オリジナル手帳２の期間（開始月と終了月）を入力フォーム７ｉ１に入力することで，ユーザが発注するオリジナル手帳２の期間を設定する。なお，図１３で図示したアイコン７ｉ２がクリックされると，ユーザが設定したオリジナル手帳２の期間が，期間属性８５ａの属性値として端末装置３から手帳編集装置１へ送信され保持される。開始月と終了月を指定できるため、ユーザの希望に応じた手帳の期間を選択することが可能である。例えば試しに８月から１２月のみを選択することでも良いし、１年以上利用したいのであれば、１月から翌年の３月まで設定できることでも良い。
【００６１】
図１４は，休日属性８５ｂをユーザに設定させるウィンドウを説明する図である。本実施形態では，縮小表示する予定表７ｇの休日に係る設定として休日となる曜日を設定でき，図１４で図示したウィンドウ７ｊには，休日となる曜日を選択させる複数のチェックボックス７ｊ１が表示され，オリジナル手帳２を発注するユーザはいずれかのチェックボックス７ｊ１をＯＮにすることで，休日となる曜日を設定する。なお，図１４で図示したアイコン７ｊ２がクリックされると，休日となる曜日を示す情報が休日属性８５ｂの属性値として端末装置３から手帳編集装置１へ送信される。このように設定することで、通常のカレンダーにおいては、週休２日制で土日が休日の印であるカレンダーが多いが、週休１日や他の平日が休日というユーザもいるため、休日となる曜日を一つまたは複数選択可能なことで、ユーザにとって使いやすい手帳を提供することが可能である。また、その休日をカレンダーの一週間の右端または左端に設定することでユーザの利便性の良い手帳を作製することが可能となる。例えば水曜のみ休日というユーザであれば、木・金・土・日・月・火・水というようなレイアウトに調整可能であってもよい。さらに利便性を良くするため、休日をカレンダーの一週間の右端または左端にするまたはしないという設定をも選択できるように設定することでも良い。
【００６２】
図１５は，時間帯属性８５ｃをユーザに設定させるウィンドウを説明する図である。図１５で図示したウィンドウ７ｋは，図１１で図示した１週間パーティカル型（休日縮小表示）をユーザが選択したときに表示されるウィンドウで，ユーザが選択した予定表７ｇのデザインの画像７ｋ１に加え，予定表７ｇの時間帯（開示時刻と終了時刻）を入力する入力フォーム７ｋ２が表示され，オリジナル手帳２を発注するユーザは入力フォーム７ｋ２に予定表７ｇの時間帯を入力することで，予定表７ｇの時間帯を設定する。なお，図１５で図示したアイコン７ｋ３がクリックされると，ユーザが設定した予定表の時間帯が時間帯属性８５ｃの属性値として端末装置３から手帳編集装置１へ送信され保持される。バーティカルに時間帯を設定可能となるため、スケジュールに記載が不要な時間帯を省略することができ、その分空いたスペースを有効に活用することが可能となる。また、時間帯別に幅を変更することが可能となっても良い。例えばスケジュールが頻繁に入る１０時から１８時の間は、他の時間帯よりも比較的広く設定が調整できるようにしておくことも可能である。これによって、使用する時間帯は広く、使用しない時間帯は狭く調整可能なことで、紙面のレイアウトを有効に活用することができる。図では５時から２４時で設定可能としているが、０時から２４時の間で設定することも可能であっても良い。
【００６３】
図１６は，第１の手帳機能属性をユーザに設定させるウィンドウを説明する図である。図１６で図示したウィンドウ７ｌは，図１１で図示した１週間パーティカル型（休日縮小表示）をユーザが選択したときに表示されるウィンドウで，ユーザが設定した予定表７ｇの全体画像７ｌ１と，１週間パーティカル型（休日縮小表示）の予定表７ｇの日付枠７ｇ２に設けられた第１の手帳機能エリア７ｇ３を示す画像７ｌ２と，予定表７ｇに印刷する日付・曜日以外の情報（例えば，六曜）など第１の手帳機能のアイコン７ｌ３が表示されている。なお，図１６では，図を見やすくするために符号は一つのみとしている。
【００６４】
図１６で図示したウィンドウ７ｌには，図１１で図示した１週間パーティカル型（休日縮小表示）をユーザが選択したときに表示されるウィンドウのため，予定表７ｇの日付枠７ｇ２に設けられた第１の手帳機能エリア７ｇ３は，日付枠７ｇ２の下側に上下段で設けられ，図１６では，第１の手帳機能エリア７ｇ３に対応する箇所に「第１の手帳機能エリア」の文字が表示されている。
【００６５】
「第１の手帳機能エリア」の文字が表示されている箇所に，第１の手帳機能のアイコン７ｌ３のいずれか一つをドラッグすることで，ユーザは，日付・曜日以外の情報（例えば，六曜）やToDo Listなど日付枠７ｇ２に印刷する第１の手帳機能をカスタマイズすることができる。例えば，図１６では，「第１の手帳機能エリア」の文字が表示されている箇所に，「ToDo List」のアイコンと「日記欄」のアイコン７ｌ３がドラッグされることで，「ToDo List」と「日記欄」に係る情報が第１の手帳機能エリア７ｇ３の箇所に印刷されることになる。なお，図１６で図示したアイコン７ｌ４がクリックされると，ユーザが設定したアイコン７ｌ３を示す情報が第１の手帳機能属性８５ｄの属性値として端末装置３から手帳編集装置１へ送信され保持される。
【００６６】
図１７は，第２の手帳機能属性８５ｅをユーザに設定させるウィンドウを説明する図である。図１７で図示したウィンドウ７ｍには，図１１で図示した１週間パーティカル型（休日縮小表示）をユーザが選択したときに表示されるウィンドウで，１週間パーティカル型（休日縮小表示）の予定表７ｇの全体画像７ｍ１と，空白欄７ｇ４に設けられた第２の手帳機能エリア７ｇ５を示す画像と，第２の手帳機能のアイコン７ｍ３が表示されている。なお，図１７では，図を見やすくするために符号は一つのみとしている。
【００６７】
図１７で図示したウィンドウ７ｍには，図１１で図示した１週間パーティカル型（休日縮小表示）をユーザが選択したときに表示されるウィンドウのため，予定表７ｇに設けられた空白欄７ｇ４は，予定表７ｇの右側に設けられ，図１７では，第２の手帳機能エリアに対応する箇所に「第２の手帳機能エリア」の文字が表示されている。
【００６８】
「第２の手帳機能エリア」の文字が表示されている箇所に，アイコン７ｍ３をドラッグすることで，ユーザは，日付・曜日以外の情報（例えば，六曜）やToDo Listなど日付枠に印刷する第２の手帳機能をカスタマイズすることができる。例えば，図１７では，「第２の手帳機能エリア」の文字が表示されている箇所に，「memo１」のアイコン７ｍ３，「読書記録」のアイコン７ｍ３及び「ショッピングリスト」のアイコン７ｍ３がドラッグされており，「memo１」，「読書記録」及び「ショッピングリスト」に係る情報が第２の手帳機能エリア７ｇ５に印刷されることになる。なお，図１７で図示したアイコン７ｍ４がクリックされると，ユーザが設定したアイコン７ｍ４を示す情報が第２の手帳機能属性８５ｅの属性値として端末装置３から手帳編集装置１へ送信され保持される。
【００６９】
図１８は，記念日属性８５ｆをユーザに設定させるウィンドウを説明する図である。図１８で図示したウィンドウ７ｎには，予定表７ｇの日付枠７ｇ２に印刷する記念日を追加するフォーム７ｎ１と，予定表７ｇの日付枠７ｇ２に記念日に対応するアイコン及び記念日の名称を印刷するときの文字色を選択するフォーム７ｎ２が表示され，予定表の日付枠に印刷する記念日を追加するフォーム７ｎ１がクリックされると，記念日の年月日及び名称等を入力する入力フォームが表示され７ｎ３，ユーザは，入力フォーム７ｎ３に必要な情報を入力すると共に，フォーム７ｎ２を利用して，記念日に対応するアイコン及び記念日の名称を印刷するときの文字色を選択する。なお，図１８で図示したアイコン７ｎ４がクリックされると，ユーザが設定した記念日毎に，記念日に係わるこれらの情報（記念日の名称・日付，文字色の選択情報，アイコンの選択情報）が記念日属性７ｆの属性値として端末装置３から手帳編集装置１へ送信され保持される。なお，図１８では，図を見やすくするために符号は一つのみとしている。
【００７０】
図３の説明に戻る。手帳編集装置１の手帳編集手段１０は，予定表レイアウトファイル８に設定された記念日属性の属性値を端末装置３から取得すると，レイアウト属性設定処理（Ｓ７）を終了する。
【００７１】
本実施形態において，オリジナル手帳２の手帳要素には，ユーザが予定を記入する予定表以外に，付録，スポンサー付録及びフリーページがあるため，手帳編集装置１の手帳編集手段１０は，レイアウト属性設定処理（Ｓ７）を終了すると，まず，オリジナル手帳２に追加する付録を決定付ける付録属性８５ｇをユーザから取得し（Ｓ８），次に，オリジナル手帳２に追加するスポンサー付録を決定付けるスポンサー付録属性８５ｈを取得し（Ｓ９），そして，オリジナル手帳２に追加するフリーページを決定付けるフリーページ属性８５ｉを取得する（Ｓ１０）。
【００７２】
図１９は，付録属性８５ｇをユーザに設定させるウィンドウを説明する図である。図１９で図示したウィンドウ７ｏには，オリジナル手帳２に追加できる付録毎に付録の名称と画像７ｏ１が表示され，ユーザは付録の画像７ｏ１を選択することで，オリジナル手帳２に追加する付録を設定する。例えば，図１９では，「罫線メモ」，「方眼紙１」及び「路線地図」がオリジナル手帳２の付録として選択されている。 なお，図１９で図示したアイコン７ｏ２がクリックされると，ユーザが設定した付録を示す情報が付録属性８５ｇの属性値として端末装置３から手帳編集装置１へ送信され保持される。なお，図１９では，図を見やすくするために符号は一つのみとしている。
【００７３】
図２０は，スポンサー付録属性８５ｈをユーザに設定させるウィンドウを説明する図である。図２０で図示したウィンドウ７ｐには，オリジナル手帳２に追加できるスポンサー付録毎に付録の名称と画像７ｐ１と，オリジナル手帳２に追加するスポンサー付録の設定に利用するチェックボックス７ｐ２が表示され，ユーザは，チェックボックス７ｐ２を利用して，オリジナル手帳２に追加するスポンサー付録を設定する。例えば，図２０では，「避難マップ（警備会社提供）」と「飲食店Aのクーポン」がオリジナル手帳２のスポンサー付録として選択されている。なお，図２０で図示したアイコン７ｐ３がクリックされると，ユーザが設定したスポンサー付録を示す情報がスポンサー付録属性８５ｈの属性値として端末装置３から手帳編集装置１へ送信され保持される。なお，図２０では，図を見やすくするために符号は一つのみとしている。
【００７４】
図２１は，フリーページ属性８５ｉをユーザに設定させるウィンドウを説明する図である。図２１で図示したウィンドウ７ｑには，オリジナル手帳２に追加するフリーページのレイアウト画面７ｑ１に加え，フリーページのレイアウトに利用するツールである文字と罫線のアイコン７ｑ２と，文字と罫線の属性を設定するリストボックス７ｑ３が表示され，ユーザは，これらを利用して，オリジナル手帳２に追加するフリーページの内容を設定する。なお，図２１で図示したアイコン７ｑ４がクリックされると，ユーザが設定したフリーページのイメージファイルが端末装置３から手帳編集装置１へ送信され，手帳編集手段１０が生成したファイル名が付けられてイメージファイルが手帳編集装置１へ記憶されると共に，該ファイル名がフリーページ属性８５ｉの属性値として保持される。
【００７５】
図３の説明に戻る。手帳編集装置１の手帳編集手段１０は，ユーザが予定を記入する予定表以外の手帳要素，すなわち，付録属性８５ｇ，スポンサー付録属性８５ｈ及びフリーページ属性値８５ｉを取得すると，ユーザが設定した各属性の属性値に基づくオリジナル手帳２のイメージを生成し，生成したイメージを表示させるウェブページを端末装置３に送信し，端末装置３にユーザの設定内容を確認させるウェブページを表示する（Ｓ１１）。
【００７６】
図２２は，設定内容を確認させるウェブページを説明する図で，図２２で図示したウェブページ７ｒには，オリジナル手帳２の予定表のイメージ７ｒ１，オリジナル手帳２に追加する付録のイメージ７ｒ２，スポンサー付録のイメージ７ｒ３及びフリーページのイメージ７ｒ４が表示され，これらのイメージの横に，ユーザが設定した各属性の属性値が表示されている。なお，図２０では，図を見やすくするために符号は一つのみとしている。
【００７７】
なお，オリジナル手帳２の予定表のイメージ７ｒ１，オリジナル手帳２に追加する付録のイメージ７ｒ２，スポンサー付録のイメージ７ｒ３及びフリーページのイメージ７ｒ４の生成する手法については，手帳編集装置１の印刷データ生成手段１１がページデータを生成する手法と同じであるため，ここでは，詳細な説明を省く。
【００７８】
図２２に図示したウィンドウ７ｒには，これまでの設定を変更するためのアイコン７ｒ５と，これまでの設定を了承するためのアイコン７ｒ６が表示され，アイコン７ｒ５がクリックされると，図３のＳ３から再度実行し，アイコン７ｒ６がクリックされると，手帳編集装置１の手帳編集手段１０は，手帳編集装置１にログインしたユーザのユーザ名，レイアウト属性設定処理Ｓ７で利用した予定表レイアウトファイル８の識別子，ユーザが設定した属性値などを記述したユーザデータを生成・記憶（Ｓ１２）して，図３で図示した手順は終了する。
【００７９】
次に，手帳編集装置１に備えられ，ユーザデータに記述されている属性値に従うページデータを手帳要素毎に生成し，生成したページデータを自動組版することで印刷データを生成する印刷データ生成手段１１について説明する。
【００８０】
図２３は，手帳編集装置１の印刷データ生成手段１１が実行する手順を説明するフロー図である。手帳編集装置１は，未処理のユーザデータの数が所定値に達するなど，オリジナル手帳２を印刷するための印刷データを生成するトリガーが発生すると（Ｓ２０），未処理のユーザデータ毎に，オリジナル手帳２の各ページのページデータを生成するページデータ生成処理（Ｓ２１）を実行する。
【００８１】
手帳編集装置１の印刷データ生成手段１１は，オリジナル手帳２の各ページのページデータを生成するページデータ生成処理（Ｓ２１）において，まず，予定表のページデータの生成に利用する予定表レイアウトファイル８として，ユーザデータに記述されている予定表レイアウトファイル８の識別子に対応する予定表レイアウトファイル８を選択する（Ｓ２１０）。
【００８２】
手帳編集装置１の印刷データ生成手段１１は，予定表レイアウトファイル８を選択すると，予定表の最初のページは予定表の表紙になるため，予定表の表紙のページデータを生成する（Ｓ２１１）。なお，予定の表紙のページデータは，予定表レイアウトファイル８の表紙のイメージファイル８２をオリジナル手帳２のサイズに調整したデータになる。
【００８３】
予定表の表紙の次ページからは見開きの予定表になり，見開きの予定表のページ数はオリジナル手帳２の期間によって変わるため，手帳編集装置１の印刷データ生成手段１１は予定表のページ数を算出する（Ｓ２１２）。
【００８４】
予定表のページ数の算出には，予定表レイアウトファイル８のヘッダ要素８０に記述されている予定表のタイプと，ユーザデータに記述されている期間属性８５ａの属性値が利用される。例えば，予定表のタイプが，見開き１週間パーティカル型の場合，１週間（７日間）の予定が2ページにまたがるため，期間属性８５ａの属性値で決定付けられる日数を７日間で除算し，予定表の表紙・裏表紙を加えることで，予定表のページ数を算出できる。
【００８５】
手帳編集装置１の印刷データ生成手段１１は，予定表のページ数を算出すると，予定表レイアウトファイル８の可変要素８４を決定付ける属性８５の属性値で，ユーザデータに記述された属性値を利用して，予定表レイアウトファイル８に設定された可変要素８４に組み込むオブジェクトを生成し，生成したオブジェクトを可変要素８４に組み込むことで，予定表のページ毎にページデータを作成する（Ｓ２１３）。
【００８６】
例えば，図１２では，予定表レイアウトファイル８の可変要素８４として，年・月が印刷される可変要素８４ａがあるため，手帳編集装置１の印刷データ生成手段１１は，年・月が印刷される可変要素８４ａに組み付けるオブジェクトを生成する。なお，年・月が印刷される可変要素８４ａのオブジェクトは，見開き１週間パーティカル型（休日縮小表示）の予定表７ｇの各ページで異なるため，予定表７ｇのページ毎に該オブジェクトを生成する。
【００８７】
年・月が印刷される可変要素８４ａに組み付けるオブジェクトはテキストで，このオブジェクトの生成には，ユーザデータに記述されている期間属性８５ａの属性値が利用され，生成するページデータのページ番号に従い，期間属性８５ａの属性値で決定付けられる年・月を表示するオブジェクトが生成される。
【００８８】
また，予定表レイアウトファイル８の可変要素８４として，日付・曜日が印刷される可変要素８４ｂがあるため，手帳編集装置１の印刷データ生成手段１１は，日付・曜日が印刷される可変要素８４ｂに組み付けるオブジェクトを生成する。なお，日付・曜日が印刷される可変要素８４ｂのオブジェクトは，見開き１週間パーティカル型（休日縮小表示）予定表７ｇの各ページで異なるため，予定表７ｇのページ毎に該オブジェクトを生成する。
【００８９】
日付・曜日が印刷される可変要素８４ｂに組み付けるオブジェクトはテキストで，予定表７ｇの期間を設定する期間属性８５ａの属性値に加え，休日として取り扱う曜日を設定する休日属性８５ｂの属性値によって，予定表７ｇの日付枠７ｇ２毎に日付枠７ｇ２に印刷する日付・曜日，配置箇所及び文字色が決定付けられる。
【００９０】
日付・曜日が印刷される可変要素８４ｂに組み付けるテキストの生成には，期間属性８５ａの属性値が利用され，期間属性の属性値で決定付けられる期間に含まれる日付の中から，生成するページデータのページ番号に従い，日付・曜日を表示するオブジェクトが生成される。
【００９１】
また，予定表７ｇで休日として取り扱う曜日は休日属性の属性値によって決定付けられ，図１２の予定表レイアウトファイル８に従えば，予定表７ｇで休日として取り扱う曜日が休日の日付枠７ｇ２になるように，休日として取り扱う曜日が印刷されるように，日付・曜日を表示するオブジェクトが配置される箇所が決定され，休日の日付枠７ｇ２に印刷する日付・曜日は休日を示す色（例えば，赤）になる。
【００９２】
また，予定表レイアウトファイル８の可変要素８４として，記念日が印刷される可変要素８４ｅがあるため，手帳編集装置１の印刷データ生成手段１１は，記念日が印刷される可変要素８４ｅに組み付けるオブジェクトを生成する。記念日が印刷される可変要素８４ｃのオブジェクトは，予定表７ｇの各ページで異なるため，予定表７ｇのページ毎に該オブジェクトを生成する。
【００９３】
記念日が印刷される可変要素８４ｅに組み付けるオブジェクトはテキストとイメージで，このオブジェクトの生成には，ユーザデータに記述されている記念日属性８５ｆの属性値が利用され，記念日属性８５ｆの属性値の記念日の名称及び文字色の選択情報が該テキストになり，該属性値のアイコンの選択情報で特定されるアイコンが該イメージになり，記念日が印刷される箇所は，記念日属性８５ｆの属性値で示される日付に対応する日付枠７ｇ２に設けられた可変要素８４ｅになる。
【００９４】
また，予定表レイアウトファイル８の可変要素８４として，時間帯の時間が印刷される可変要素８４ｃと時間帯の罫線が印刷される可変要素８４ｄがあるため，手帳編集装置１の印刷データ生成手段１１は，それぞれの可変要素８４ｃ，ｄに組み付けるオブジェクトを生成する。なお，時間帯の時間が印刷される可変要素８４ｃと時間帯の罫線が印刷される可変要素８４ｄのオブジェクトは，予定表７ｇの各ページで共通であるため，予定表７ｇのページ毎に該オブジェクトを生成する必要はない。
【００９５】
時間帯の時間が印刷される可変要素８４ｃと時間帯の罫線が印刷される可変要素８４ｄにそれぞれ組み付けるオブジェクトの生成には，ユーザデータに記述されている時間帯属性８５ｃの属性値が利用され，時間帯属性８５ｃの属性値で決定付けられる時間帯を単位時間（１時間）毎に区分する罫線のイメージと，罫線の脇に表示する時間（例えば，９時）に対応するテキストが生成される。
【００９６】
また，本実施形態では，予定表レイアウトファイル８の可変要素８４として，日付枠に備えさせる第１の手帳機能が印刷される可変要素８４ｆがあるため，手帳編集装置１の印刷データ生成手段１１は，日付枠７ｇ２に備えさせる第１の手帳機能が印刷される可変要素８４ｆに組み付けるオブジェクトを生成する。なお，日付枠日付枠７ｇ２に備えさせる第１の手帳機能が印刷される可変要素８４ｆのオブジェクトは，予定表７ｇの各ページで共通であるため，予定表７ｇのページ毎に該オブジェクトを生成する必要はない。
【００９７】
日付枠７ｇ２に備えさせる第１の手帳機能が印刷される可変要素８４に組み付けるオブジェクトの生成には，ユーザデータに記述されている第１の手帳機能属性８５ｄの属性値が利用される。手帳編集装置１の印刷データ生成手段１１は，日付枠７ｇ２に設定可能な第１の手帳機能のイメージを記憶し，第１の手帳機能属性８５ｄの属性値で決定付けられる第１の手帳機能のイメージを該オブジェクトとして利用する。
【００９８】
また，予定表レイアウトファイル８の可変要素８４として，空白欄７ｇ４に備えさせる第２の手帳機能が印刷される可変要素８４ｇがあるため，手帳編集装置１の印刷データ生成手段１１は，空白欄７ｇ４に備えさせる第２の手帳機能が印刷される可変要素８４ｇに組み付けるオブジェクトを生成する。なお，空白欄７ｇ４に備えさせる第２の手帳機能が印刷される可変要素８４ｇのオブジェクトは，予定表７ｇの各ページで共通であるため，予定表７ｇのページ毎に該オブジェクトを生成する必要はない。
【００９９】
空白欄７ｇ４に備えさせる第２の手帳機能が印刷される可変要素８４ｇに組み付けるオブジェクトの生成には，ユーザデータに記述されている第２の手帳機能属性８５ｅの属性値が利用される。手帳編集装置１の印刷データ生成手段１１は，空白欄７ｇ４に設定可能な第２の手帳機能のイメージを記憶し，第２の手帳機能属性８５ｅの属性値で決定付けられる第２の手帳機能のイメージを該オブジェクトとして利用する。
【０１００】
ここから，図２３の説明に戻る。手帳編集装置１の印刷データ生成手段１１は，予定表のページデータを生成すると，予定表の最後のページは予定表の裏表紙になるため，予定表の裏表紙のページデータを生成する（Ｓ２１４）。なお，予定の裏表紙のページデータは，予定表レイアウトファイル８の裏表紙のイメージファイル８３をオリジナル手帳２のサイズに調整したデータになる。
【０１０１】
手帳編集装置１の印刷データ生成手段１１は，このようにして，予定表のページ毎にページデータを生成すると，次に，オリジナル手帳２の各ページのページデータを生成するページデータ生成処理（Ｓ２１）において，オリジナル手帳２に追加する付録を印刷するためのページデータを生成する（Ｓ２２）。
【０１０２】
手帳編集装置１の印刷データ生成手段１１は，オリジナル手帳２に追加可能な付録毎にページデータの基になるオブジェクトを記憶し，ユーザデータに記述されている付録属性８５ｇの属性値で決定付けられる付録のオブジェクトのサイズを予定表レイアウトファイル８に記述されているオリジナル手帳２のサイズに調整することで，付録を印刷するためのページデータを生成する。
【０１０３】
次に，手帳編集装置１の印刷データ生成手段１１は，オリジナル手帳２に追加するスポンサー付録を印刷するためのページデータを生成する（Ｓ２３）。手帳編集装置１の印刷データ生成手段１１は，オリジナル手帳２に追加可能なスポンサー付録毎にページデータの基になるオブジェクトを記憶し，ユーザデータに記述されているスポンサー付録属性８５ｈの属性値で決定付けられるスポンサー付録のオブジェクトのサイズを予定表レイアウトファイル８に記述されているオリジナル手帳２のサイズに調整することで，スポンサー付録を印刷するためのページデータを生成する。
【０１０４】
次に，手帳編集装置１の印刷データ生成手段１１は，オリジナル手帳２に追加するフリーページを印刷するためのページデータを生成する（Ｓ２４）。手帳編集装置１の印刷データ生成手段１１は，ユーザデータに記述されているフリーページ属性値８５ｉで決定付けられるフリーページのイメージファイルのサイズを予定表レイアウトファイル８に記述されているオリジナル手帳２のサイズに調整することで，スポンサー付録を印刷するためのページデータを生成する。
【０１０５】
このように，未処理のユーザデータ毎に，オリジナル手帳２の各ページのページデータを生成すると，手帳編集装置１の印刷データ生成手段１１は，ページデータを所定の丁付けで面付けし，製本加工・発送で利用される管理マークを付与した印刷データを生成する（Ｓ２５）。
【０１０６】
オリジナル手帳２のサイズに応じた印刷用紙を用いれば，ユーザ単位で，デジタル印刷機５に送信する印刷データを生成することもできるが，通常，デジタル印刷機５が対応している印刷用紙のサイズはオリジナル手帳２のサイズよりも大きいため，本実施形態において，手帳編集装置１の印刷データ生成手段１１は，一つのユーザデータから生成したページデータを丁付けした面付けを，所定のユーザデータの数に応じて多面付けした印刷データを生成する。
【０１０７】
図２４，多面付けの印刷データを説明する図である。図２４（ａ）は，１ページ目の印刷データ７ｓを説明する図で，図２４（ａ）では，ユーザデータから生成したページデータを４丁付けした面付け７ｓ１を一面付けとし，ユーザＡからＩまでの９人のユーザの面付けを多面付け（ここでは，９面付け）している。
【０１０８】
更に，図２４（ａ）で図示した多面付けの印刷データ７ｓには，印刷用紙の序列を管理するための一つの序列管理マーク７ｓ２と，オリジナル手帳２を送付するユーザを識別するデータ（ユーザのユーザＩＤ）がエンコードされ，１ページ目にのみ印刷されるユーザ管理マーク７ｓ３と，オリジナル手帳２のページ管理に利用されるページ管理マーク７ｓ４と，印刷用紙の管理情報７ｓ５が印刷されている。一つの序列管理マーク７ｓ２及び印刷用紙の管理情報７ｓ５は印刷用紙に一つ印刷され，ユーザ管理マーク７ｓ３及びページ管理マーク７ｓ４は，印刷用紙に面付けされた４丁付けの面付け７ｓ１毎に印刷される。なお、ユーザへのサービス向上のため、ユーザ毎にページ数異なる場合で、最大ページ数に満たない場合は、メモ図１６、図１７に記載の１日欄、フリーエリアの項目を余ったページ分増やすように設定可能としても良い。そのようにすることで、あまったページをユーザーのお気に入りのデザインをより多く提供することが可能となる。
【０１０９】
図２４（ｂ）は，最終ページの印刷データ７ｓを説明する図である。図２４（ｂ）は，ユーザＡからＦまでの６人のユーザのページデータ数が同じで，ユーザＧからＩまでの３人のユーザのページデータ数がユーザＡからＦと比較して少ないときの例で，図２４（ｂ）で図示したように，最終ページの印刷データには，ユーザＡからＦまでの６人のユーザの面付け７ｓ１が配置されるが，ユーザＧからＩまでの３人のユーザのページデータ数は少ないため，これらのユーザの面付けは配置されていない。なお，図２０（ａ），（ｂ）では，図を見やすくするために符号は一つのみとしている。
【０１１０】
図２４で図示したように多面付けすると，ユーザ毎にページデータ数が同じでない場合，印刷用紙のロスが出てしまうが，図２４を用いて説明した印刷データをデジタル印刷機５で印刷させた刷り本の束を面付け７ｓ１毎に断裁すれば，複数のユーザ毎に，刷り本の束が得られるため，オリジナル手帳の加工効率を高めることができる。
【０１１１】
手帳編集装置１の印刷データ生成手段１１は，印刷工程で利用されるデジタル印刷機５に送信する印刷データを生成すると，印刷データの生成に利用したユーザデータを処理済みにした後，生成した印刷データ全てをデジタル印刷機５に送信し，この手順を終了する。
【０１１２】
デジタル印刷機５は，手帳編集装置１から印刷データを受信すると，デジタル印刷機５に備えられたプリンタサーバに受信した印刷データをスプールし，オペレータからの指示を受けると，該印刷データを印刷した刷り本６を出力する。デジタル印刷機５が出力した刷り本６は，刷り本６に印刷された序列管理マーク７ｓ２に従い序列された状態で重ね合わされて，４丁付けの面付け７ｓ１毎に断裁される。
【０１１３】
４丁付けの面付け７ｓ１の束は，４丁付けの面付け７ｓ１毎に印刷されたページ管理マーク７ｓ４が利用されてページの抜けや順序に間違いがないか確認された後，４丁付けの面付け７ｓ１は折り丁に折り加工され，折り庁がページ順に重ねて製本加工され，オリジナル手帳２のサイズに断裁される。そして，製本加工された折り丁には，表紙が貼られて，ユーザが設定した仕様のオリジナル手帳２が完成する。
【符号の説明】
【０１１４】
１    手帳編集装置
１０  手帳編集手段
１１  印刷データ生成手段
２    オリジナル手帳
３    端末装置
４    ネットワーク
５    デジタル印刷機
６    刷り本
８    予定表レイアウトファイル
【図１】
2012113449.tif 000003
【図２】
2012113449.tif 000004
【図３】
2012113449.tif 000005
【図４】
2012113449.tif 000006
【図５】
2012113449.tif 000007
【図６】
2012113449.tif 000008
【図７】
2012113449.tif 000009
【図８】
2012113449.tif 000010
【図９】
2012113449.tif 000011
【図１０】
2012113449.tif 000012
【図１１】
2012113449.tif 000013
【図１２】
2012113449.tif 000014
【図１３】
2012113449.tif 000015
【図１４】
2012113449.tif 000016
【図１５】
2012113449.tif 000017
【図１６】
2012113449.tif 000018
【図１７】
2012113449.tif 000019
【図１８】
2012113449.tif 000020
【図１９】
2012113449.tif 000021
【図２０】
2012113449.tif 000022
【図２１】
2012113449.tif 000023
【図２２】
2012113449.tif 000024
【図２３】
2012113449.tif 000025
【図２４】
2012113449.tif 000026